(57)【要約】移動局（１０）が無線通信ネットワーク（１２）と通信する方法は、通信のために指定された一式のタイムスロットのうちのタイムスロットの第１の一部（６０）を監視することと、少なくとも、タイムスロットの第１の一部（６０）に関連付けられたデータから、タイムスロットの第１の一部（６０）内にないタイムスロットが、それに関連付けられた移動局（１０）に方向付けられた通信を有し、移動局（１０）によって監視されなかったことを決定することとを含む。方法はまた、該決定の後に、一式のタイムスロットのうちのタイムスロットの第２の一部を監視することも含む。
2013520901.tif 000002
【特許請求の範囲】
【請求項１】
移動局（１０）が無線通信ネットワーク（１２）と通信する方法であって、
前記移動局（１０）において、通信のために指定された一式のタイムスロットのうちのタイムスロットの第１の一部（６０）を監視することと、
少なくとも前記タイムスロットの第１の一部（６０）に関連付けられたデータから、前記タイムスロットの第１の一部（６０）内にないタイムスロットが、それに関連付けられた前記移動局（１０）に方向付けられた通信を有し、前記移動局（１０）によって監視されなかったことを決定することと、
前記決定の後に、前記移動局（１０）において、前記一式のタイムスロットのうちのタイムスロットの第２の一部を監視することと
を含む、方法。
【請求項２】
前記タイムスロットの第１の一部（６０）内にないタイムスロットが、それに関連付けられた通信を有し、前記移動局（１０）によって監視されていないことを決定すると、前記タイムスロットの第１の一部（６０）内にない前記タイムスロットが、それに関連付けられた通信を有し、前記移動局（１０）によって監視されていないという指示（５４、５８、８４、８８）を前記無線通信ネットワーク（１２）に提供することをさらに含む、請求項１に記載の方法。
【請求項３】
前記一式のタイムスロットは、前記タイムスロットの第１の一部（６０）および前記タイムスロットの第２の一部から成る、請求項１または２に記載の方法。
【請求項４】
前記タイムスロットの第１の一部（６０）は、第１の搬送波上のタイムスロットのみを含み、前記タイムスロットの第２の一部は、第２の搬送波上のタイムスロットのみを含む、請求項３に記載の方法。
【請求項５】
前記タイムスロットの第１の一部（６０）内にないタイムスロットが、それに関連付けられた前記移動局（１０）に方向付けられた通信を有し、前記移動局（１０）によって監視されていないことを決定することは、少なくとも前記タイムスロットの第１の一部（６０）に関連付けられたブロックシーケンス番号（ＢＳＮ）の順番を観察することを含む、請求項１〜４のうちのいずれかに記載の方法。
【請求項６】
前記タイムスロットの第１の一部（６０）内にないタイムスロットが、それに関連付けられた前記移動局（１０）に方向付けられた通信を有し、前記移動局（１０）によって監視されていないことを決定することは、移動局（１０）によって予期されたＢＳＮ値よりも大きい値を有するＢＳＮを識別することを含む、請求項５に記載の方法。
【請求項７】
前記タイムスロットの第１の一部（６０）内にないタイムスロットが、それに関連付けられた前記移動局（１０）に方向付けられた通信を有し、前記移動局（１０）によって監視されていないことを決定することは、以前に受信されたＢＳＮを用いて、シーケンスから外れているシーケンス番号を有するＢＳＮを識別することを含む、請求項５に記載の方法。
【請求項８】
前記通信のために指定された前記タイムスロットの第１の一部（６０）を監視することは、前記移動局（１０）宛のブロックが伝送されることが可能な時分割多重アクセス（ＴＤＭＡ）フレームの一部中の少なくとも１つのタイムスロットを監視することを含む、請求項１〜７のうちのいずれかに記載の方法。
【請求項９】
前記タイムスロットの第１の一部（６０）は、その上で前記移動局（１０）宛の制御メッセージが受信されることが可能な全てのタイムスロットを含む、請求項１〜８のうちのいずれかに記載の方法。
【請求項１０】
命令を記憶したコンピュータ可読媒体であって、前記命令は、移動局（１０）のプロセッサ（８０２）によって実行され、前記移動局（１０）に請求項１〜９のうちのいずれかに記載の方法を実装させる、コンピュータ可読媒体。
【請求項１１】
移動局（１０）であって、
メモリ（８０４）と通信しているプロセッサ（８０２）を備え、前記メモリ（８０４）は、命令を記憶しており、前記命令は、前記プロセッサ（８０２）によって実行されると、
通信のために指定された一式のタイムスロットのうちのタイムスロットの第１の一部（６０）を監視するステップと、
少なくとも前記タイムスロットの第１の一部（６０）に関連付けられたデータから、前記タイムスロットの第１の一部（６０）内にないタイムスロットが、それに関連付けられた前記移動局（１０）に方向付けられた通信を有し、前記移動局（１０）によって監視されなかったことを決定するステップと、
前記決定の後に、前記移動局（１０）において、前記一式のタイムスロットのうちのタイムスロットの第２の一部を監視するステップと
を前記プロセッサに行わせる、移動局（１０）。
【請求項１２】
前記プロセッサは、前記タイムスロットの第１の一部（６０）内にないタイムスロットが、それに関連付けられた通信を有し、前記移動局（１０）によって監視されていないことを決定すると、前記タイムスロットの第１の一部（６０）内にない前記タイムスロットが、それに関連付けられた通信を有し、前記移動局（１０）によって監視されていないという指示（５４、５８、８４、８８）を前記無線通信ネットワーク（１２）に提供するステップを行うように構成されている、請求項１１に記載の移動局（１０）。
【請求項１３】
前記一式のタイムスロットは、前記タイムスロットの第１の一部（６０）および前記タイムスロットの第２の一部から成る、請求項１１または１２に記載の移動局（１０）。
【請求項１４】
前記タイムスロットの第１の一部（６０）は、第１の搬送波上のタイムスロットのみを含み、前記タイムスロットの第２の一部は、第２の搬送波上のタイムスロットのみを含む、請求項１３に記載の移動局（１０）。
【請求項１５】
前記タイムスロットの第１の一部（６０）内にないタイムスロットが、それに関連付けられた前記移動局（１０）に方向付けられた通信を有し、前記移動局（１０）によって監視されていないことを決定するステップは、少なくとも前記タイムスロットの第１の一部（６０）に関連付けられたブロックシーケンス番号（ＢＳＮ）の順番を観察することを含む、請求項１１〜１４のうちのいずれかに記載の移動局（１０）。
【発明の詳細な説明】
【技術分野】
【０００１】
（関連出願の引用）
本願は、米国仮特許出願第６１／３０８，７７５号（２０１０年２月２６日出願、名称「ＳＹＳＴＥＭ  ＡＮＤ  ＭＥＴＨＯＤ  ＦＯＲ  ＲＥＳＵＭＰＴＩＯＮ  ＯＦ  ＴＩＭＥＳＬＯＴ  ＭＯＮＩＴＯＲＩＮＧ」）の利益を主張する。該出願は、その全体が参照により本明細書に引用される。
【０００２】
（技術分野）
本開示は、概して、モバイル通信システムにおけるデータ伝送に関し、より具体的には、例えば、二重搬送波ダウンリンク通信システムにおけるタイムスロット監視の再開ためのシステムおよび方法に関する。
【背景技術】
【０００３】
本明細書で使用される場合、用語「移動局」（「ＭＳ」）、「ユーザエージェント」、および「ユーザ機器」（「ＵＥ」）は、携帯電話、携帯情報端末（ＰＤＡ）、手持ち式またはラップトップコンピュータ、およびネットワーク通信能力を有する同様のデバイスを指すことができる。いくつかの構成では、ＭＳは、モバイル無線デバイスを指し得る。本用語はまた、デスクトップコンピュータ、セットトップボックス、またはネットワークノード等の同様の能力を有するが、容易に輸送可能ではないデバイスを指し得る。
【０００４】
ＭＳは、高速データ通信を提供する、無線通信ネットワーク内で動作し得る。例えば、ＭＳは、モバイル通信のためのグローバルシステム（ＧＳＭ（登録商標））および汎用パケット無線サービス（ＧＰＲＳ）技術に従って動作し得る。今日、そのようなＭＳはさらに、ＧＳＭ（登録商標）進化のための拡張データレート（ＥＤＧＥ）、あるいは拡張ＧＰＲＳ（ＥＧＰＲＳ）または拡張ＧＰＲＳ  Ｐｈａｓｅ  ２（ＥＧＰＲＳ２）に従って動作し得る。
【０００５】
ネットワークと通信するために、ＭＳは、ＭＳに利用可能なアップリンクまたはダウンリンクリソースを決定するために媒体アクセス制御（ＭＡＣ）プロトコルを使用するように構成されている。ＧＰＲＳは、例えば、ＧＳＭ（登録商標）と同様であるが、タイムスロットがアップリンクおよびダウンリンク伝送の両方に対するＭＳに動的に割り付けられる、タイムスロット構造を使用する。したがって、ＧＰＲＳネットワークと通信するために、ＭＳは、ＭＳがデータ転送のために１から８の間のタイムスロットを使用することを可能にする、マルチスロット能力を有するように構成され得る。アップリンクおよびダウンリンクチャネルが、別個にリザーブされるため、種々のマルチスロットリソース構成が、異なる方向に割り当てられ得る。
【０００６】
場合によっては、ＭＳは、二重搬送波上でタイムスロットを割り付けられ得る。二重搬送波「割当」は、２つの搬送波上の一式のタイムスロットを備える。アップリンク二重搬送波割当の場合、割当は、アップリンク伝送のためにＭＳによって使用され得る、両方の搬送波上の全一式のタイムスロットを含み、ダウンリンク二重搬送波割当の場合、割当は、その上でネットワークがデータをＭＳに送信し得る、両方の搬送波上の全一式のタイムスロットである。
【０００７】
任意の所与の無線ブロック期間にわたって、ネットワークは、リソースを動的に割り付け、ＭＳがデータを受信および／または伝送し得る、ダウンリンクタイムスロットあるいはアップリンクタイムスロットを決定する。基本的伝送時間間隔（ＢＴＴＩ）では、所与の無線ブロック期間は、４つのＴＤＭＡフレームを含み、各ＴＤＭＡフレームは、８つのタイムスロットを含む。割付アルゴリズムは、実装依存性であるが、ＭＳのマルチスロットクラス（その上でＭＳが伝送または受信することができる最大タイムスロット数、ならびに伝送から受信およびその反対に切り替えるために要求される時間）を考慮してもよく、ＭＳが受信／伝送すると基地局コントローラ（ＢＳＣ）が予期するデータの量を考慮し得る。
【０００８】
削減された伝送時間間隔（ＲＴＴＩ）を使用することができ、これは、上記の構造の修正であって、その場合、４つのＴＤＭＡフレームにわたって、特定のタイムスロット内で送信されるブロック毎に４つのバーストとして伝送される無線ブロックの代わりに、無線ブロック（本質的に、同じ量の情報を含む）が、２つのＴＤＭＡフレーム内の２つのタイムスロットを使用して伝送される。これは、ブロックの伝送時間を削減し、システムの全体的な待ち時間を削減する。したがって、「削減された無線ブロック期間」は、４つのＴＤＭＡフレーム（約２０ｍｓ）である、基本的無線ブロック期間と比較して、２つのＴＤＭＡフレーム（約１０ｍｓ）である。
【０００９】
アップリンク割付は、０から７（包含）の間の数である、アップリンク状態フラグ（ＵＳＦ）の使用によって信号伝達され、ダウンリンク無線ブロック内で信号伝達される。ＭＳのアップリンク割当の一部として、ＭＳは、どのタイムスロット上のどのＵＳＦがそのＭＳのためのアップリンク割付を示すかを通知される。ＵＳＦは、概して、ダウンリンクブロックのヘッダに含まれる。ＲＴＴＩの場合、ＵＳＦは、４つのＴＤＭＡフレームにわたって、例えば、ダウンリンクＢＴＴＩ無線ブロックが送信されるのと同様に（「ＢＴＴＩ  ＵＳＦモード」）、または（２つのタイムスロットを使用して）２つのＴＤＭＡフレームにわたって（「ＲＴＴＩ  ＵＳＦモード」）、無線ブロックにわたってコード化され得る。
【００１０】
いくつかの通信規格では、受信のために割り当てられる「ｍ」タイムスロットと、伝送のために割り当てられる「ｎ」タイムスロットがある。したがって、マルチスロットクラスタイプ１のＭＳについては、同じタイムスロット番号を伴うＭｉｎ（ｍ，ｎ，２）個の受信および伝送タイムスロットがあり得る。マルチスロットクラスタイプ２のＭＳについては、同じタイムスロット番号を伴うＭｉｎ（ｍ，ｎ）個の受信および伝送タイムスロットがあり得る。ダウンリンク二重搬送波構成の場合、同じタイムスロット番号を伴うタイムスロットが、両チャネル上に割り当てられる場合、ｍの値を計算する際、それらは１つのタイムスロットと見なされ得る。結果として、ダウンリンクおよびアップリンクタイムスロットの両方が割り当てられる場合に、一方向に単一のタイムスロットが、反対方向に１つ以上のタイムスロットが割り当てられる場合、第１のタイムスロットのタイムスロット番号は、反対方向におけるタイムスロットのうちの１つと同じであり得る。同様に、２つ以上のアップリンクタイムスロットおよび２つ以上のダウンリンクタイムスロットが割り当てられる場合、アップリンクおよびダウンリンクタイムスロットのうちの少なくとも２つが、共通タイムスロット番号を有し得る。結果として、アップリンク＋ダウンリンク割当では、ＵＳＦおよびダウンリンクデータブロックについて監視され得るタイムスロットは、大部分が一致する。いくつかのネットワークでは、割当および割付は、本質的に、ネットワークの制御下（例えば、ＢＳＣ）にある。
【００１１】
ＧＰＲＳにおける続行中のパケットデータセッションの間、例えば、割り当てられたダウンリンクＴＢＦ（一時ブロックフロー）を伴うＭＳは、ネットワークが割り付けられたダウンリンクタイムスロットのうちのいずれかの中でＭＳにデータを送信する場合、ＭＳの割当における全てのダウンリンクタイムスロットを監視するように要求される。同様に、ＭＳが割り当てられたアップリンクＴＢＦを有する場合、その上でアップリンクリソースを動的に割り付けるようにアップリンク状態フラグ（ＵＳＦ）を送信することができる、全てのタイムスロットを監視するように要求される。ＭＳが、アップリンクおよびダウンリンクＴＢＦの両方を有する場合、ＭＳは、あらゆる割り付けられたアップリンク伝送機会を考慮して、可能な限り多くの関連ダウンリンクタイムスロットを監視しなければならない。
【００１２】
ネットワークまたはＭＳのいずれか一方が送信するデータを持たない場合、特に、ネットワークもＭＳも送信するデータを持たない時に、この監視活動は、ＭＳにおいて有意なバッテリ電力の無駄をもたらす。バッテリ電力消費を最小限化するために、割り当てられたリソース（例えば、ＴＢＦ）が解放され得、ＭＳが監視しなければならないタイムスロットの数を最小限化する。残念ながら、そのような解放は、新しいリソース（例えば、ＴＢＦ）が確立されなければならないため、ネットワークとＭＳとの間でさらなるデータが送信される時に、ユーザによって知覚される有意な遅延につながる場合がある。代替として、ＭＳは、一方的に特定のタイムスロットリソースを監視することを止めて、バッテリ消費を最小限化する（タイムスロット削減）。しかしながら、その場合、ネットワークがＭＳによって監視されていないタイムスロットリソース上でデータ伝送を再開したことを、ＭＳが検出するための既存の機構がない。結果として、ネットワークからのデータ伝送は、ＭＳによって受信されない場合がある。
【００１３】
したがって、ＭＳが監視されているタイムスロットの数を削減している、ネットワーク実装では、データがネットワークとＭＳとの間で転送される場合に、割り当てられたタイムスロットのうちの１つ以上を監視することを再開するようにＭＳをトリガする機構の必要性がある。同様に、その上でＵＳＦがＭＳに送信され得るタイムスロットを監視することを再開するようにＭＳにトリガする機構の対応する必要性がある。
【発明の概要】
【課題を解決するための手段】
【００１４】
本開示は、概して、モバイル通信システムにおけるデータ伝送プロトコルに関し、より具体的には、例えば、二重搬送波ダウンリンク通信システムにおけるタイムスロット監視の再開ためのシステムおよび方法に関する。
【００１５】
１つの実装は、移動局が無線通信ネットワークと通信する方法を含む。方法は、通信のために指定された一式のタイムスロットのうちのタイムスロットの第１の一部を監視することと、少なくとも、タイムスロットの第１の一部に関連付けられたデータから、タイムスロットの第１の一部内にないタイムスロットが、それに関連付けられた移動局に方向付けられた通信を有し、移動局によって監視されなかったことを決定することとを含む。方法はまた、該決定の後に、一式のタイムスロットのうちのタイムスロットの第２の一部を監視することも含む。
【００１６】
別の実装は、移動局が無線通信ネットワークと通信する方法を含む。方法は、移動局に割り付けられた少なくとも１つのタイムスロットに対する利用可能なバーストの一部を監視することと、利用可能なバーストの一部のみを受信した後に、符号化された一時フロー識別（ＴＦＩ）を決定しようとすることとを含む。方法はまた、移動局とネットワークとの間の一時ブロックフロー（ＴＢＦ）を識別するＴＦＩを決定すると、移動局に割り付けられた全てのタイムスロットを監視することも含む。
【図面の簡単な説明】
【００１７】
本開示をより完全に理解するために、類似参照数字が類似部品を表す、添付の図面および発明を実施するための形態と併せて理解される、以下の簡単な説明を参照する。
【図１】図１は、ＭＳが、タイムスロットがデータ転送に使用されていないことを観察し、監視されたタイムスロットの数を自律的に削減する、タイムスロット削減の説明図である。
【図２】図２は、ネットワークが、増分して搬送波Ｃ１、次いで、搬送波Ｃ２上のＢＳＮを割り当てる、タイムスロット監視再開を図示するメッセージフロー例である。
【図３】図３は、ネットワークが、漸増タイムスロット順でＢＳＮをタイムスロットに割り当てる、タイムスロット監視再開を図示するメッセージフロー例である。
【図４】図４は、４つのバーストを含むブロック伝送例の説明図である。
【図５】図５は、特定のブロック内の割り付けられたタイムスロットの全ての利用可能なバーストの完全監視を示す、説明図である。
【図６】図６は、特定のブロック内の１つ以上の割り付けられたタイムスロットの利用可能なバーストの部分的監視を示す、説明図である。
【図７】図７は、本開示の種々の実施形態のうちのいくつかについて動作可能であるＭＳを含む、無線通信システムの略図である。
【図８】図８は、本開示の種々の実施形態のうちのいくつかについて動作可能であるＭＳのブロック図である。
【図９】図９は、本開示の種々の実施形態のうちのいくつかについて動作可能であるＭＳ上で実装され得る、ソフトウェア環境の略図である。
【図１０】図１０は、本開示の種々の実施形態のうちのいくつかに好適である、例証的な汎用コンピュータシステムである。
【発明を実施するための形態】
【００１８】
ここで、類似番号が全体を通して類似または対応する要素を指す、添付の図面を参照して、本開示の種々の側面が説明される。しかしながら、図面およびそれに関連する発明を実施するための形態は、請求された主題を開示される特定の形態に限定することを目的としていないことを理解されたい。むしろ、請求された主題の範囲内にある全ての修正、同等物、および代替案を網羅することが意図される。
【００１９】
本明細書で使用される場合、用語「構成要素」、「システム」、および同等物は、コンピュータ関連エンティティ、すなわち、ハードウェア、ハードウェアおよびソフトウェアの組み合わせ、ソフトウェア、または実行中のソフトウェアのいずれかを指すことを目的としている。例えば、構成要素は、プロセッサ上で作動するプロセス、プロセッサ、オブジェクト、実行ファイル、実行のスレッド、プログラム、および／またはコンピュータであり得るが、それらに限定されない。例証として、コンピュータ上で作動するアプリケーションおよびコンピュータの両方が、構成要素となり得る。１つ以上の構成要素は、プロセスおよび／または実行のスレッド内に常駐し、構成要素は、１つのコンピュータ上に限局され、および／または２つ以上のコンピュータ間に分散され得る。
【００２０】
用語「例示的」は、本明細書では、実施例、事例、または例証としての機能を果たすことを意味するために使用される。「例示的」として本明細書で説明される任意の側面または設計は、必ずしも、他の側面または設計と比べて好ましい、あるいは有利であるとして解釈されるわけではない。
【００２１】
さらに、開示された主題は、本明細書で詳述される側面を実装するように、コンピュータまたはプロセッサベースのデバイスを制御する、ソフトウェア、ファームウェア、ハードウェア、またはそれらの任意の組み合わせを生産する標準プログラミングおよび／またはエンジニアリング技法を使用して、システム、方法、装置、または製造品として実装され得る。本明細書で使用される用語「製造品」（または代替として、「コンピュータプログラム製品」）は、任意のコンピュータ可読デバイス、チャネル、または媒体からアクセス可能なコンピュータプログラムを包含することを目的としている。例えば、コンピュータ可読媒体は、磁気記憶デバイス（例えば、ハードディスク、フロッピー（登録商標）ディスク、磁気帯、および同等物）、光ディスク（例えば、コンパクトディスク（ＣＤ）、デジタル多用途ディスク（ＤＶＤ）、および同等物）、スマートカード、およびフラッシュメモリデバイス（例えば、カード、スティック、および同等物）を含むことができるが、それらに限定されない。加えて、電子メールを伝送および受信する際、あるいはインターネットまたはローカルエリアネットワーク（ＬＡＮ）等のネットワークにアクセスする際に使用されるもの等の、コンピュータ可読電子データを搬送するために、搬送波を採用できることを理解されたい。当然ながら、当業者であれば、請求された主題の範囲から逸脱することなく、この構成に多くの修正が行なわれてもよいことを認識するであろう。
【００２２】
ＭＳは、アップリンクまたはダウンリンク通信のための複数のタイムスロットが割り当てられ得る。既存のネットワークでは、ＭＳは、ネットワークからの伝送を検出するように、全ての割り付けられたタイムスロットを監視する。しかしながら、ネットワークまたはＭＳのいずれか一方が、１つ以上のタイムスロット上に送信するデータを持たない場合、特に、ネットワークもＭＳも１つ以上のタイムスロット上に送信するデータを持たない時に、この監視活動は、ＭＳにおいて有意な電力の無駄をもたらす。電力消費を最小限化するために、ＭＳは、特定のタイムスロットリソースを監視することを止めるように構成され得る。しかしながら、既存のネットワーク実装では、ＭＳが一方的に特定のタイムスロットを監視することを止める場合、ネットワークが、ＭＳによって監視されていないタイムスロットリソース上で、データ伝送または割り当てられたＵＳＦの伝送を再開したことを、ＭＳが検出するための機構がない。
【００２３】
場合によっては、ネットワークは、特定のタイムスロットリソースをリッスンすることを止めること、または再開することをＭＳに明示的に命令するように構成され得る。しかしながら、そのような実装は、（ＭＳが特徴をサポートするという）新しいＭＳ能力指標等の付加的な信号伝達、およびタイムスロット削減が適用されるべきである時を示す付加的な信号伝達を必要とする。さらに、ＭＳタイムスロット監視を制御する責任があるネットワークエンティティ（例えば、パケット制御ユニット（ＰＣＵ）または基地局サブシステムの何らかの他の部分）は、上位層プロトコル、またはアプリケーション、およびそれらのトラフィックパターンを認識していない。結果として、タイムスロット削減が効果的に（例えば、トラフィックが停止するとすぐに、およびトラフィックがすぐに開始しそうな場合を回避して）実行されることが困難な場合がある。また、ＭＳのタイムスロット削減がネットワーク制御下にある場合、またはネットワーク認識を伴って実装される場合、ＵＳＦは、ＭＳが監視していることをネットワークが知っているダウンリンクタイムスロット上でのみ送信される。ネットワークが監視の削減を認識していない場合、ネットワークは、ＭＳが監視していないタイムスロット上でＵＳＦを送信し得る。
【００２４】
対照的に、本システムは、割当内の１つ以上のタイムスロットの監視を再開するように（例えば、全ての割り当てられたタイムスロット上で監視を再開するように）ＭＳにトリガする機構を提供する。トリガ機構は、いつどのようにＭＳのタイムスロット削減が起こるかをネットワークが制御しない時でさえも動作する。例えば、本システムは、ダウンリンク二重搬送波割当を伴うＭＳが、監視されているタイムスロットの数を自動的に削減することを可能にし、ネットワークがデータを伝送するために監視されていないタイムスロットを使用し始めた時に、割り付けられたタイムスロットのうちの付加的なものの監視を再開することを可能にする。
【００２５】
本システムでは、ＭＳは、割り付けられたタイムスロットの一部のみを監視するように、および監視されたタイムスロット上で受信されるものに基づいて、ＭＳ宛のデータまたは制御メッセージが、監視されていないタイムスロットのうちの１つ以上の上で送信されている（または送信された）ことを決定するように構成されている。この決定に応答して、ＭＳは、監視されている割り付けられたタイムスロットの数を増加させるように構成されている。そのようなものとして、ＭＳは、ネットワークに知らせることなくタイムスロット監視を自律的に削減することができ、最小限の遅延を伴ってタイムスロット監視を再開することができる。
【００２６】
本システムを実装する際に、いくつかのデータブロックが欠落する場合があるが、削減された一式のタイムスロットのみを監視することの節電利益は、結果として生じるデータ再伝送の付加的なオーバーヘッドを相殺する。しかしながら、欠落したデータブロックのリスクを低減するために、本システムのＭＳは、ＭＳにアドレス指定することができる各ブロックの１つまたは２つのバーストを監視するように構成され得る。これらのバーストを使用して、ＭＳは、ブロックがＭＳにアドレス指定されるかどうかを推定または決定することができ、次いで、後続のブロック期間で完全な一式のバースト／タイムスロットを監視することができる。
【００２７】
本システムでは、ＭＳがタイムスロット削減を自律的に実装し得る場合（すなわち、ＭＳが削減されたタイムスロットの監視を実装していることをネットワークが認識していない場合）、ネットワークは、ＭＳが監視していないタイムスロット上でアップリンクブロックを割り付けるようにＵＳＦを送信し得る。従って、本システムは、ＭＳに付加的なブロック（好ましくは、その上でＵＳＦを受信することができるブロック）を監視し始めさせる、トリガ機構を提供する。概して、自律アプローチでは、ＭＳは、ＭＳが制御メッセージを受信できることを確実にするべきであり、拡張動的割付（ＥＤＡ）が使用される場合、その上で制御メッセージが送信され得る、割り当てられたタイムスロットの特定の一部分がある。
【００２８】
本システムでは、ダウンリンク二重搬送波割当の第２の搬送波上で、監視されたタイムスロットが、ある期間にわたって使用されていないことをＭＳが観察する場合、ＭＳは、未使用のタイムスロットに対する自動タイムスロット削減を適用するように構成されている（または第２の搬送波上の全てのタイムスロットが使用されていない場合、第２の搬送波を監視することを完全に停止する）。タイムスロット削減は、ネットワークからの明示的な許可またはネットワークへの通知なしで、ＭＳによって実装され得る。場合によっては、ネットワークは、最低タイムスロットの中のダウンリンク制御ブロックのみを送信し、その場合、ＭＳは、第２の搬送波上の最低タイムスロットを監視し続けるが、第２の搬送波上の他の割り付けられたタイムスロットを監視することを中断し得る。
【００２９】
図１は、ＭＳが、タイムスロットがデータ転送に使用されていないことを観察し、監視されたタイムスロットの数を自律的に削減する、タイムスロット削減の説明図である。図１を参照すると、ネットワーク１２は、２つの搬送波Ｃ１およびＣ２を使用して、ＭＳ１０と通信する。最初に、ネットワーク１２は、搬送波Ｃ１上のタイムスロット０−４および搬送波Ｃ２上のタイムスロット０−４をＭＳ１０に割り付ける（図１の表２６を参照）。常に、ネットワーク１２は、ＭＳ１０が全ての割り付けられたタイムスロットを監視していると考える。ＭＳ１０と通信し始めると、ＭＳ１０は、全ての割り当てられたタイムスロットを監視する（図１の表２２に示される斜線付きタイムスロットを参照）。
【００３０】
図１では、ネットワーク１２が、ＭＳ１０への一連のデータ伝送を開始する。第１の伝送である伝送１４では、ネットワーク１２は、搬送波Ｃ１およびＣ２の両方を使用して、データをＭＳ１０に伝送する。しかしながら、次の３つの伝送１６、１８、および２０については、ネットワーク１２は、データをＭＳ１０に伝送するために搬送波Ｃ１のみを使用する。搬送波Ｃ２を使用しないネットワーク１２からの所定数の連続伝送後に、ＭＳ１０は、搬送波Ｃ２上の１つ以上のタイムスロットを監視することを停止するように構成されている。図１に示される実施例では、伝送２０を受信した後、ＭＳ１０は、搬送波Ｃ２上のタイムスロット１−４が監視されないままにして、搬送波Ｃ２上のタイムスロット０のみを監視するように切り替わる（要素２４を参照）。
【００３１】
しかしながら、搬送波Ｃ２上の監視されたタイムスロットの数を削減すると、ＭＳ１０は、自律的に作用し、ネットワーク１２にタイムスロット削減を知らせない。したがって、何らかのときに、ネットワーク１２は、ＭＳがこれらのタイムスロットをもはや監視していないことを知らずに、搬送波Ｃ２上の監視されていないタイムスロットのうちの１つ以上の上でＭＳ１０への伝送を再開し得る。
【００３２】
搬送波Ｃ２上の監視されていないタイムスロットのうちの１つ以上の上でネットワーク１２からの伝送を検出するために、ＭＳ１０は、第１の残りの完全に監視された搬送波（例えば、搬送波Ｃ１）上で、または監視されたタイムスロット（例えば、搬送波Ｃ１上のタイムスロット０−４および搬送波Ｃ２上のタイムスロット０）上で、ブロックシーケンス番号（ＢＳＮ）の順番を観察するように構成されている。次いで、ＭＳ１０は、ネットワークが第２の搬送波上のブロックを割り付けたかどうかを決定するためにＢＳＮを使用する。
【００３３】
１つの無線ブロック期間から次までのＢＳＮ順は、１という値だけ増加するべきであるため、ＢＳＮ順が１よりも急増する場合、ＭＳ１０は、ネットワーク１２が、監視されなかったタイムスロット上の１つまたは複数のブロックを割り付けたことを決定することができる。言い換えれば、ネットワークは、１つの無線ブロック期間から次までの漸増ＢＳＮ順で、（以前に伝送されていなかった）ブロックを伝送するように要求され、１ブロック期間で受信された最高ブロックがＮであり、次のブロック期間中の最低ブロックがＮ＋２（またはＮ＋１よりも大きい何らかの他の値）である場合、これは、欠落しているブロックが監視されていない非監視タイムスロット上で伝送された可能性が高いことを示す。具体的には、ＭＳが、監視されたタイムスロット上で受信された全てのブロック（それらがＭＳにアドレス指定されたか否かにかかわらず）をエラーなしで復号した場合、次いで、ＭＳは、ＭＳ宛のブロックが監視されていないタイムスロット上で送信されたことを確信できる。場合によっては、ＭＳは、単一のブロック期間で受信される検出されたブロックに基づいて、単一のブロック期間内で、この状況を検出さえし得る。例えば、ブロック２２、２４、２６、および２８は、監視されたタイムスロット上で受信され、次いで、２２、２５、および２７は、監視されていないブロック上で伝送された。
【００３４】
たとえＭＳが全ての受信したブロックをエラーなしで復号できなくても、ＭＳは、エラーが検出されたタイムスロット上で、欠落しているブロックの全てを送信することができなかった（または送信する可能性が極めて低かった）場合に、監視されていないタイムスロットがネットワークによって使用されたことを、決定することが可能であり得る（例えば、ＭＳは２つのタイムスロットを復号することができないが、ＢＳＮは、１つのブロック期間から次へ３だけ急増し、ネットワークは、無線ブロックあたり１つだけの無線リンク制御（ＲＬＣ）データブロックを送信していることが観察されている）。場合によっては、これらのエラーは、ＢＳＮを含有し、比較的確実にコード化されるブロックのヘッダを復号する際に存在しなければならないことに留意されたい。
【００３５】
第１の残りの搬送波上で受信されたブロックのシーケンスに基づいて、ＭＳは、第２の搬送波上の監視されていないタイムスロットが、再び使用中であり、例えば、次の無線ブロック期間で、第２の搬送波の全ての割り当てられたタイムスロットを完全に監視し始めることができると知ることができる。
【００３６】
図２は、ネットワークが、増分して搬送波Ｃ１、次いで、搬送波Ｃ２上のＢＳＮを割り当てる、タイムスロット監視再開を図示するメッセージフロー例である。図２を参照すると、最初に、ネットワーク１２は、搬送波Ｃ１上のタイムスロット０−４および搬送波Ｃ２上のタイムスロット０−４をＭＳ１０に割り付ける（図２の表４０の斜線付きタイムスロットを参照）。その時に、ＭＳ１０は、全ての割り付けられたタイムスロットを監視している。図２では、各伝送（例えば、伝送４２、４４、４６等）について、伝送の受信時にＭＳによって監視されているタイムスロット（すなわち、斜線付きタイムスロット）を図示する表またはチャートが、伝送の右側に示されている。ＭＳによって監視されているタイムスロットの説明図内で、各ブロックの中の数字は、ＢＳＮを表す。
【００３７】
ネットワーク１２は、ＭＳ１０への一連のデータ伝送を開始する。第１の伝送４２では、ネットワーク１２は、搬送波Ｃ１およびＣ２の両方を使用して、データをＭＳ１０に伝送する。搬送波Ｃ１上の伝送は、１、２、３、４、および５のＢＳＮを伴うタイムスロット０−４を使用する。Ｃ２上の伝送は、６、７、８、９、および１０のＢＳＮを伴うタイムスロット０−４を使用する（ＢＳＮは図２上のそれぞれのタイムスロットボックスの内側に示されている）。
【００３８】
しかしながら、次の２つの伝送４４および４６では、ネットワーク１２は、データをＭＳ１０に伝送するために搬送波Ｃ１のみを使用する。搬送波Ｃ２を使用しないネットワーク１２からの所定数の連続伝送後に、ＭＳ１０は、搬送波Ｃ２上の１つ以上のタイムスロットを監視することを停止するように構成されている。したがって、伝送４６を受信した後、ＭＳ１０は、搬送波Ｃ２上のタイムスロット１−４を監視することを停止する。したがって、伝送４８については、ＭＳ１０は、搬送波Ｃ２上のタイムスロット０のみを監視している（タイムスロットマップ６０を参照）。
【００３９】
しかしながら、伝送５０では、ネットワーク１２は、ＭＳ１０へのデータの伝送のために、搬送波Ｃ１および搬送波Ｃ２の両方の上の全ての利用可能なタイムスロットを使用し始める。伝送５０では、搬送波Ｃ１の中のタイムスロット０−４は、それぞれ、２６−３０のＢＳＮを有するデータブロックを搬送し、搬送波Ｃ２の中のタイムスロット０−４は、それぞれ、ＢＳＮ３１−３５を有するデータブロックを搬送する。しかしながら、この時に、ＭＳ１０が搬送波Ｃ２上のタイムスロット１−４をもはや監視していないため、ＭＳ１０は、ＢＳＮ３２−３５を有するブロックを受信できない。
【００４０】
次の伝送５２では、ＭＳ１０は、第１の受信したブロックのＢＳＮが３２（以前の伝送５０でＭＳ１０によって受信された最大ＢＳＮよりも１つ多い）であると予期する。しかしながら、図２に示されるように、伝送５２における第１の受信したブロックは、３６のＢＳＮを有する。３６は、以前の伝送５０でＭＳ１０によって受信された最高ＢＳＮ（すなわち、３１）＋１よりも大きいため、ＭＳ１０は、ＭＳ１０が監視していなかったタイムスロットを使用して１つ以上のブロックが伝送されたことを知る。実際に、ＭＳ１０は、３２、３３、３４、および３５のＭＳＮを有するブロックを受信できなかったことを決定することができる。したがって、ＭＳ１０は、ステップ５４で、欠落しているＢＳＮ（３２、３３、３４、および３５）に対する否定応答（ＮＡＣＫ）メッセージをネットワーク１２に伝送する。ＮＡＣＫメッセージは、ネットワーク１２にこれらのブロックをＭＳ１０へ再伝送させる。しかしながら、場合によっては、ＭＳが、イベントベースの高速ＡＣＫ／ＮＡＣＫ報告（ＦＡＮＲ）モード等の、確認応答（ＡＣＫ）／ＮＡＣＫ情報が先制的に伝送されるモードで構成されない場合、ネットワークは、特定のブロックがＭＳによって成功裏に受信されたことを確認するようにＭＳに問い合わせ得る。次の伝送については、ＭＳ１０はまた、全ての割り付けられたタイムスロットを監視し始める。
【００４１】
ＭＳが欠落しているブロック（ＭＳが、その上でそれらが伝送されたタイムスロットを監視していなかったため、受信されなかった）を受信しなかったことを、ＭＳがネットワークに示す時に、ＭＳは、ＭＳがブロックを受信しなかった理由は、実施されていた削減監視によるものであったことを示し得る。指示に応じて、ブロックが無線チャネル状態により（例えば、ブロックがチャネル状態により欠落されたことが仮定された場合に適用され得るように、より頑丈な符号化を使用しないことによって）欠落されなかったことをネットワークが知っているので、それに従って、ネットワークは、そのリンク適応アルゴリズムを適合し得る。
【００４２】
次の伝送５６の時に、ＭＳ１０は、全ての割り付けられたタイムスロットを監視しており、よって、ネットワーク１２によって搬送波Ｃ１および搬送波Ｃ２の両方の上で伝送される全てのデータを受信する。しかしながら、伝送５６の第１のＢＳＮが４６であるため、ＭＳ１０は、以前の伝送５４から、４２、４３、４４、および４５のＢＳＮを有するブロックを受信できなかったことも知っている。したがって、ステップ５８では、ＭＳ１０は、ステップ５８で、欠落しているＢＳＮ（４２、４３、４４、および４５）に対するＮＡＣＫメッセージをネットワーク１２に伝送する。
【００４３】
この実施例では、代わりに、ＭＳがステップ５０で搬送波２上のより高い番号が付いたタイムスロット（例えば、タイムスロット番号４）を監視していた場合、次いで、ＭＳは、２６−３１を含むＢＳＮおよびＢＳＮ３５を受信した後、ステップ５２で任意のブロックを受信する前でさえも、ＭＳ宛のブロックが監視されていないタイムスロット上で伝送された（ＢＳＮ３５が伝送されたブロック期間と同じ無線ブロック期間の前または間に、ネットワークが３２−３４を含むブロックを伝送したはずであるので）ことを決定することができる。
【００４４】
いくつかのネットワーク実装では、ネットワークは、ＢＳＮが同様に割り付けられている、漸増順で（例えば、任意のブロックがタイムスロット１に割り当てられる前に、ブロックは全ての利用可能な搬送波上のタイムスロット０に割り当てられる）ブロックをタイムスロットに割り付ける。その実装でさえも、本システムは、ネットワークがＭＳによって以前に監視されなかったタイムスロット上の第２の搬送波にブロックを再び割り付け始める時を、ＭＳが検出するための機構を提供する。
【００４５】
例えば、図３は、ネットワークが、漸増タイムスロット順でＢＳＮをタイムスロットに割り当てる、タイムスロット監視再開を図示するメッセージフロー例である。図３では、各伝送（例えば、伝送７２、７４、７６等）について、伝送の受信時にＭＳによって監視されているタイムスロット（すなわち、斜線付きタイムスロット）を図示する表が、伝送の右側に示されている。ＭＳによって監視されているタイムスロットの説明図内で、各ブロックの中の数字は、ＢＳＮを表す。
【００４６】
図３を参照すると、最初に、ネットワーク１２は、搬送波Ｃ１上のタイムスロット０−４および搬送波Ｃ２上のタイムスロット０−４をＭＳ１０に割り付ける（図３の表７０の斜線付きタイムスロットを参照）。その時に、ＭＳ１０は、全ての割り付けられたタイムスロットを監視している。
【００４７】
ネットワーク１２は、ＭＳ１０への一連のデータ伝送を開始する。第１の伝送７２では、ネットワーク１２は、搬送波Ｃ１およびＣ２の両方を使用して、データをＭＳ１０に伝送する。搬送波Ｃ１上の伝送は、１、３、５、７、および９のＢＳＮを伴うタイムスロット０−４を使用する。搬送波Ｃ２上の伝送は、２、４、６、８、および１０のＢＳＮを伴うタイムスロット０−４を使用する。
【００４８】
しかしながら、次の２つの伝送７４および７６では、ネットワーク１２は、データをＭＳ１０に伝送するために搬送波Ｃ１のみを使用する。搬送波Ｃ２を使用しないネットワーク１２からの所定数の連続伝送後に、ＭＳ１０は、搬送波Ｃ２上の１つ以上のタイムスロットを監視することを停止するように構成されている。したがって、伝送７６を受信した後、ＭＳ１０は、搬送波Ｃ２上のタイムスロット１−４を監視することを停止する。したがって、伝送７８については、ＭＳ１０は、搬送波Ｃ２において、タイムスロット０のみを監視している。
【００４９】
しかしながら、伝送８０では、ネットワーク１２は、ＭＳ１０へのデータの伝送のために、搬送波Ｃ１および搬送波Ｃ２の両方の上の全ての利用可能なタイムスロットを使用し始める。伝送８０では、搬送波Ｃ１の中のタイムスロット０−４は、それぞれ、２６、２８、３０、３２、および３４のＢＳＮを有するデータブロックを搬送し、搬送波Ｃ２の中のタイムスロット０−４は、それぞれ、ＢＳＮ２７、２９、３１、３３、および３５を有するデータブロックを搬送する。しかしながら、この時に、ＭＳ１０が搬送波Ｃ２上のタイムスロット１−４をもはや監視していないため、ＭＳ１０は、ＢＳＮ２９、３１、３３、および３５を有するブロックを受信できない。
【００５０】
次の伝送８２では、欠落しているＢＳＮ２９、３１、３３、および３５を受信することができない。実際に、受信される第１のＢＳＮは、以前の無線ブロック期間での最高の受信したＢＳＮ（すなわち、２７）よりも１以上大きい、３６である。したがって、ＭＳ１０は、ＭＳ１０が監視していなかったタイムスロットを使用して、１つ以上のブロックが伝送されたことを知る。ＭＳ１０はさらに、２９、３１、３３、および３５のＭＳＮを有するブロックを受信できなかったことを決定することができる。したがって、ＭＳ１０は、ステップ８４で、欠落しているＢＳＮ（２９、３１、３３、および３５）に対する否定応答（ＮＡＣＫ）メッセージをネットワーク１２に伝送する。ＮＡＣＫメッセージは、ネットワーク１２にこれらのブロックをＭＳ１０へ再伝送させる。この時に、ＭＳ１０はまた、全ての割り付けられたタイムスロットを監視し始める。
【００５１】
次の伝送８６の時に、ＭＳ１０は、全ての割り付けられたタイムスロットを監視しており、よって、搬送波Ｃ１および搬送波Ｃ２の両方の上で伝送される全てのデータを受信する。しかしながら、ＭＳ１０は、伝送８２から欠落していたＢＳＮ３９、４１、４５、および４５を有するブロックを受信できない。したがって、ステップ８８では、ＭＳ１０は、ステップ５４で、欠落しているＢＳＮ（３９、４１、４５、および４５）に対するＮＡＣＫメッセージをネットワーク１２に伝送する。
【００５２】
ＭＳは、無線ブロック期間において、ネットワークが、図２または図３のいずれか一方で示されるようなブロックの搬送波／タイムスロットへのマッピングを使用することを観察し得る。ＭＳが、図３に示される種類のブロック順序付け（すなわち、より低い番号が付いたブロックが、搬送波とは無関係に、より低い番号が付いたタイムスロット上で伝送される）を以前に観察している場合、ＭＳは、伝送８０において、例えば、図３に示されるようにＭＳの削減された監視により、ブロックが欠落されたことをより早く決定し得、（ブロック２９ではなく）ブロック３０が搬送波１上のタイムスロット２の中で伝送されたことを観察した後、ネットワークによって使用される伝送順番方針を知って、ＭＳは、ブロック２９がタイムスロット１の中の搬送波２上で伝送されたことを決定し得る。したがって、ネットワークが、図２に示されるような伝送方針を使用するか図３の方針を使用するかにかかわらず、ＭＳは、削減された監視により伝送が欠落された、第１のブロック期間の終了時に、このような場合を決定し得る。しかしながら、それぞれの場合に監視する最適な一式のタイムスロットは、異なり得、ＭＳは、どの方針が使用中であるか、したがって、割り当てられたタイムスロットの一部のみを監視する時に、どのタイムスロットを監視するかを決定するために、ネットワークによる以前に観察された伝送を考慮し得る。
【００５３】
図２および図３に示される実施例は、（１つのシーケンス番号を伴う）１つだけの無線リンク制御（ＲＬＣ）データブロックが無線ブロックにつき送信されることを仮定するが、本システムはまた、１つより多くのＲＬＣデータブロックが無線ブロックにつき送信される時に使用され得ることに留意されたい。
【００５４】
ＭＳは、第２の搬送波上の監視を完全に一時停止して、バッテリリソースをさらに節約するために、例えば、ＭＳが、第２の搬送波を監視する責任がある受信機構成要素の電源を完全に切ることを可能にするように構成され得る。代替として、これは、ＭＳが、例えば、測定またはバックグラウンドスキャンタスクを行うように、第２の搬送波を代替的な周波数に同調させることを可能にすることができる。
【００５５】
ＭＳが二重搬送波割当の第２の搬送波上のタイムスロットの監視を削減する時に、削減は、ＭＳによって自律的に行われ得る。結果として、ＭＳは、いつ、どの程度に、タイムスロット削減を実装するかに関する融通性を有する。
【００５６】
場合によっては、この完全タイムスロット監視の自律的削減および再開は、ＭＳが確認モードで動作している場合に再伝送される必要がある、損失ブロックを生じさせる。確認モードでは、ＭＳは、種々の基準に基づいて、いつ、どれだけ、タイムスロット監視を削減するかを自律的に決定し得る。考慮され得る基準は、例えば、バッテリレベル、電力供給（デバイスが接続された電力供給を有するかどうか）、使用されているアプリケーションの待ち時間感度、伝送されているデータの特性（例えば、ファイルサイズ等）、またはネットワーク割当／割付挙動の以前の観察を含む。
【００５７】
バッテリレベルがタイムスロット監視削減決定における要因である場合において、バッテリレベルが低い場合、ＭＳは、そうでない場合にＭＳが行うよりも早く、タイムスロット監視を有意に削減し得る。電力供給がＭＳに接続されている場合、ＭＳは、削減された監視を控えるか、または控えめに（例えば、いくつかのタイムスロット上のデータ転送の欠如の長期間後のみに）任意の削減を適用するように構成され得る。待ち時間感度の場合、（たとえデータが後で再伝送され得るにしても）データの損失がアプリケーション性能に影響を及ぼし得るため、ＭＳは、待ち時間感度アプリケーションのためのタイムスロット削減に保守的なアプローチをとり得る。データ転送の特性に関して、大きなファイルのダウンロードについて、いくつかの割り当てられたリソースが使用されていない場合、タイムスロットは、しばらくの間、不変であってもよく、よって、より活発なタイムスロット削減が、使用されていないタイムスロットに適用され得る。以前の観察の場合について、ネットワークが（後に使用されない）リソースを過剰に割り当てることが観察される場合、ＭＳは、特に、そうでなければ未使用のタイムスロットについての制御情報の伝送に関して、これらの観察されたパターンに基づいてタイムスロット削減を実装するように構成され得る。
【００５８】
ＭＳのための自律的タイムスロット削減への代替的なアプローチは、ＭＳの指示能力を低減することであり得るが、これは、付加的な信号伝達を必要とし、融通性が低い場合があり、ネットワークによって新しい指示能力が処理され、考慮されている間に遅延を招く場合がある。
【００５９】
ＭＳとネットワークとの間で確立される特定のＴＢＦについて、ＴＢＦは、一時フロー識別（ＴＦＩ）によって識別され得る。ＴＦＩは、データブロックのヘッダの中で提供され、概して、確実に符号化される。結果として、特定のブロックの４つのバーストのうちの１つまたは２つだけを監視することによって、ＴＦＩを成功裏に推定または復号することが可能であり得る。したがって、タイムスロット監視削減を実装した後に、ＭＳは、特定のブロックに対する利用可能なバーストの一部を点検するように構成され得る。ＭＳが、ＭＳとネットワークとの間のＴＢＦ（つまり、ＭＳに割り当てられたＴＢＦ）に関するＴＦＩを検出するか、または所定の閾値を上回る確率で、ＴＦＩがそのようなＴＢＦに関係することを決定する場合、ＭＳは、１つ以上の以前に監視されていないタイムスロット上で監視を再開し得る。
【００６０】
図４は、４つのバーストを含むブロック伝送例の説明図である。バースト９０、９２、９４、および９６はそれぞれ、１つのブロック８８内で伝送される。各バーストは、いくつかのタイムスロット９８を含み、そのうち、ＭＳは、タイムスロット０、４、５、および６ではなく、タイムスロット１、２、および３（斜線付きのタイムスロットを参照）が割り当てられている。ヘッダ部分が、各タイムスロットの４つのバーストにわたって符号化される。概して、特定のタイムスロットに対するＴＦＩを決定するために、タイムスロットの各バーストが読み出され、ＴＦＩは、４つのバーストのうちのそれぞれに含まれるデータを使用して計算される。しかしながら、ＴＦＩが確実に符号化されるため、タイムスロットに対する４つの利用可能なバーストの一部のみを受信し、依然としてＴＦＩを復号するか、またはＴＦＩ値を合理的に見積もることが可能であり得る。
【００６１】
例えば、図５は、特定のブロック内の割り付けられたタイムスロットの全ての利用可能なバーストの完全監視を示す、説明図である。図５に示されるように、ＭＳは、割り付けられたタイムスロットのそれぞれに対する４つ全てのバーストを監視するように構成されている。しかしながら、この監視スキームでは、ＭＳは、それぞれの割り付けられたタイムスロットに対する４つの受信したバーストのそれぞれを受信し、処理しなければならないため、有意なバッテリ電力を消費し得る。
【００６２】
本システムでは、ＭＳは、ＭＳに割り付けられたタイムスロットのうちの１つ以上に対する利用可能なバーストの一部のみを監視するように構成され得る。利用可能なバーストの一部のみを受信した後に、ＭＳは、利用可能なデータから符号化されたＴＦＩを決定しようとする。ＴＦＩの復号が成功し、ＴＦＩがＭＳとネットワークとの間のＴＢＦを識別する場合、ＭＳは、例えば、全ての割り付けられたタイムスロットの完全監視を再開し得る。同様に、たとえＴＦＩが部分的にしか復号されないが、ＭＳとネットワークとの間のＴＢＦに関係しているように思われる場合、ＭＳは、全ての割り付けられたタイムスロットの完全監視を再開し得る。代替として、ＴＦＩが完全には復号されない時に、部分的に復号されたＴＦＩとＭＳのＴＦＩとの間の類似性の程度に応じて、ＭＳは、割り付けられたタイムスロットのうちの１つだけ以上の上で、付加的なバーストを監視し始め得る。
【００６３】
図６は、特定のブロック内の１つ以上の割り付けられたタイムスロットの利用可能なバーストの部分的監視を示す、説明図である。図６では、第１の割り付けられたタイムスロット（タイムスロット１）について、ＭＳは、そのタイムスロットの全ての利用可能なバーストを監視する。しかしながら、残りの割り付けられたタイムスロット（タイムスロット２および３）について、ＭＳは、これらのタイムスロットの第１のバーストのみを監視する。したがって、ＭＳは、より少ないバーストを監視することによって、より少ない電力を消費する。利用可能なバーストの監視された一部のあり得る、または推定されたコンテンツに基づいて、ブロックがＭＳにアドレス指定され、したがって、ＭＳが監視されている一部のタイムスロットを増加させるべきであると決定することが実行可能であり得る。
【００６４】
デバイスの実装（例えば、バースト復号を予定するために必要とされる時間）に応じて、タイムスロットの増加した監視は、将来のブロック期間で、または同じブロック期間内で（その場合、ＭＳ宛のあらゆるブロックを見落とすことを回避することが可能であり得る）起こり得る。例えば、バースト受信および復号を、２つのＴＤＭＡフレーム内で予定することができる場合、第１のバーストの復号に基づいて、ブロックの少なくとも第４のバースト（例えば、図６参照）が受信および復号されるであろう。たとえ結果として、２つだけのバーストに基づいて完全なブロックを復号することが可能ではなくても、この情報は、そのバーストの再伝送の復号を向上させるように記憶され得る。
【００６５】
図２および３に図示されるＢＳＮ検出スキーム、および上記で説明されるバーストの一部の監視に加えて、ＭＳが１つ以上の割り当てられたタイムスロットを監視することを再開するべきであるかどうかを決定するために、付加的な要因がＭＳによって使用され得る。例えば、リソース（再）割当メッセージの受信、まだ進行中ではないアップリンクまたはダウンリンク伝送の開始、または、欠落しているブロックが監視されていないタイムスロットの使用によるものか、復号におけるエラーによるものかを確実に決定することができないようなチャネル品質の劣化は、全て、ＭＳに、以前に監視されていない割り付けられたタイムスロットを監視することを再開させる、要因であり得る。
【００６６】
（例えば、ＭＳが伝送するアップリンクデータを持たない、または一般にアップリンク割付の必要がないため）ＭＳが、その上で割り当てられたＵＳＦが受信される全てのタイムスロットをもはや監視しなくなるように、ＭＳがタイムスロット監視を削減した場合、ＭＳは、（例えば、データが上位層から受信されたため）アップリンクデータが送信されるという決定に基づいて監視を増加させて、好ましくは、アップリンクデータを伝送できることにおいて遅延を最小限化するために、その上でＭＳが割り当てられたＵＳＦを受信し得る、全てのタイムスロットを監視し得る。
【００６７】
図７は、ＭＳ１０の実施形態を含む、無線通信システムを図示する。ＭＳ１０は、本開示の側面を実装するために動作可能であるが、本開示は、これらの実装に限定されるべきではない。携帯電話として図示されているが、ＭＳ１０は、無線ハンドセット、ポケットベル、携帯情報端末（ＰＤＡ）、携帯用コンピュータ、タブレットコンピュータ、ラップトップコンピュータを含む、種々の形態を成し得る。多くの好適なデバイスは、これらの機能のうちのいくつかまたは全てを組み合わせる。本開示のいくつかの実施形態では、ＭＳ１０は、携帯用、ラップトップ、またはタブレットコンピュータのような汎用コンピュータデバイスではないが、むしろ、携帯電話、無線ハンドセット、ポケットベル、ＰＤＡ、または車両に設置された電気通信デバイス等の特殊用途通信デバイスである。ＭＳ１０はまた、デスクトップコンピュータ、セットトップボックス、またはネットワークノード等の、同様の能力を有するが輸送可能ではないデバイスであってもよく、デバイスを含んでもよく、またはデバイスに含まれ得る。ＭＳ１０は、ゲーム、在庫管理、ジョブ制御、および／またはタスク管理機能等の特殊な活動をサポートし得る。
【００６８】
ＭＳ１０は、ディスプレイ７０２を含む。ＭＳ１０はまた、ユーザによる入力のために、概して７０４と呼ばれる、タッチセンサ式表面、キーボード、または他の入力キーも含む。キーボードは、ＱＷＥＲＴＹ、Ｄｖｏｒａｋ、ＡＺＥＲＴＹ、および逐次タイプ等の完全または縮小英数字キーボード、または電話キーパッドに関連付けられたアルファベット文字を伴う従来の数字キーパッドであり得る。入力キーは、さらなる入力機能を提供するように内向きに押下され得る、トラックホイール、終了またはエスケープキー、トラックボール、および他のナビゲーションまたは機能キーを含み得る。ＭＳ１０は、ユーザが選択するためのオプション、ユーザが作動させるための制御、および／またはユーザが方向付けるためのカーソルあるいは他の指標を提示し得る。
【００６９】
ＭＳ１０はさらに、ダイヤルする番号、またはＭＳ１０の動作を構成するための種々のパラメータ値を含む、ユーザからのデータ入力を受け入れ得る。ＭＳ１０はさらに、ユーザコマンドに応じて、１つ以上のソフトウェアまたはファームウェアアプリケーションを実行し得る。これらのアプリケーションは、ユーザ相互作用に応じて、種々のカスタマイズされた機能を果たすようにＭＳ１０を構成し得る。加えて、ＭＳ１０は、例えば、無線基地局、無線アクセスポイント、またはピアＭＳ１０から、無線でプログラムおよび／または構成され得る。
【００７０】
ＭＳ１０によって実行可能な種々のアプリケーションの中には、ディスプレイ７０２がウェブページを表示することを可能にする、ウェブブラウザがある。ウェブページは、無線ネットワークアクセスノード、携帯電話の基地局、ピアＭＳ１０、または任意の他の無線通信ネットワークあるいはシステム７００を伴う無線通信を介して取得され得る。ネットワーク７００は、インターネット等の所望のネットワーク７０８に連結される。無線リンクおよび有線ネットワークを介して、ＭＳ１０は、サーバ７１０等の種々のサーバ上の情報にアクセスである。サーバ７１０は、ディスプレイ７０２上に示され得るコンテンツを提供し得る。代替として、ＭＳ１０は、中継型またはホップ型接続において、仲介の役割を果たすピアＭＳ１０を通してネットワーク７００にアクセスし得る。
【００７１】
図８は、ＭＳ１０のブロック図を示す。ＭＳ１０の種々の既知の構成要素が描写されているが、実施形態では、記載された構成要素の一部および／または記載されていない付加的な構成要素が、ＭＳ１０に含まれ得る。ＭＳ１０は、デジタル信号プロセッサ（ＤＳＰ）８０２と、メモリ８０４とを含む。示されるように、ＭＳ１０はさらに、アンテナおよびフロントエンドユニット８０６と、無線周波数（ＲＦ）送受信機８０８と、アナログベースバンド処理ユニット８１０と、マイクロホン８１２と、イヤホンスピーカ８１４と、ヘッドセットポート８１６と、入出力インターフェース８１８と、可撤性メモリカード８２０と、ユニバーサルシリアルバス（ＵＳＢ）ポート８２２と、短距離無線通信サブシステム８２４と、アラート８２６と、キーパッド８２８と、タッチセンサ式表面を含み得る液晶ディスプレイ（ＬＣＤ）８３０と、ＬＣＤコントローラ８３２と、電荷結合素子（ＣＣＤ）カメラ８３４と、カメラコントローラ８３６と、グローバルポジショニング（ＧＰＳ）センサ８３８とを含み得る。実施形態では、ＭＳ１０は、タッチセンサ式画面を提供しない、別の種類のディスプレイを含み得る。実施形態では、ＤＳＰ８０２は、入出力インターフェース８１８を通過することなく、メモリ８０４と直接通信し得る。
【００７２】
ＤＳＰ８０２または何らかの他の形態のコントローラあるいは中央処理ユニットは、メモリ８０４に記憶された、またはＤＳＰ８０２自体に含まれたメモリに記憶された組み込みソフトウェアまたはファームウェアに従って、ＭＳ１０の種々の構成要素を制御するように動作する。組み込みソフトウェアまたはファームウェアに加えて、ＤＳＰ８０２は、メモリ８０４に記憶された、または可撤性メモリカード８２０のような携帯用データ記憶媒体等の情報担体媒体を介して、あるいは有線または無線ネットワーク通信を介して利用可能となる、他のアプリケーションを実行し得る。アプリケーションソフトウェアは、所望の機能性を提供するようにＤＳＰ８０２を構成する、コンパイルされた一式の機械可読命令を備え得るか、またはアプリケーションソフトウェアは、ＤＳＰ８０２を間接的に構成するようにインタープリタまたはコンパイラによって処理される、高レベルソフトウェア命令であり得る。
【００７３】
アンテナおよびフロントエンドユニット８０６は、無線信号と電気信号との間で変換するように提供され、ＭＳ１０が、セルラーネットワークまたは何らかの他の利用可能な無線通信ネットワークから、あるいはピアＭＳ１０から情報を送受信することを可能にする。実施形態では、アンテナおよびフロントエンドユニット８０６は、ビーム形成および／または多重入出力（ＭＩＭＯ）動作をサポートするように、複数のアンテナを含み得る。当業者に公知であるように、ＭＩＭＯ動作は、困難なチャネル状態を克服するため、および／またはチャネルスループットを増加させるために使用することができる、空間的多様性を提供し得る。アンテナおよびフロントエンドユニット８０６は、アンテナ同調および／またはインピーダンス整合構成要素、ＲＦ電力増幅器、および／または低雑音増幅器を含み得る。
【００７４】
ＲＦ送受信機８０８は、周波数偏移を提供し、受信したＲＦをベースバンドに変換し、ベースバンド伝送信号をＲＦに変換する。いくつかの説明では、無線送受信機またはＲＦ送受信機は、変調／復調、符号化／復号化、インターリービング／デインターリービング、拡散／逆拡散、逆高速フーリエ変換（ＩＦＦＴ）／高速フーリエ変換（ＦＦＴ）、周期的接頭辞添付／除去、および他の信号処理機能等の、他の信号処理機能性を含むと理解され得る。明確にする目的で、ここでの説明は、ＲＦおよび／または無線段階から、この信号処理の説明を分離し、その信号処理を、アナログベースバンド処理ユニット８１０および／またはＤＳＰ８０２あるいは他の中央処理ユニットに概念的に割り付ける。いくつかの実施形態では、ＲＦ送受信機８０８、アンテナおよびフロントエンド８０６の複数部分、およびアナログベースバンド処理ユニット８１０が、１つ以上の処理ユニットおよび／または特定用途向け集積回路（ＡＳＩＣ）に組み入れられ得る。
【００７５】
アナログベースバンド処理ユニット８１０は、入力および出力の種々のアナログ処理、例えば、マイクロホン８１２およびヘッドセット８１６からの入力、ならびにイヤホン８１４およびヘッドセット８１６への出力のアナログ処理を提供し得る。この目的のために、アナログベースバンド処理ユニット８１０は、ＭＳ１０が携帯電話として使用されることを可能にする、内蔵マイクロホン８１２およびイヤホンスピーカ８１４に接続するためのポートを有し得る。アナログベースバンド処理ユニット８１０はさらに、ヘッドセットまたは他のハンズフリーマイクロホンおよびスピーカ構成に接続するためのポートを含み得る。アナログベースバンド処理ユニット８１０は、１つの信号方向にデジタル・アナログ変換を、反対の信号方向にアナログ・デジタル変換を提供し得る。いくつかの実施形態では、アナログベースバンド処理ユニット８１０の機能性の少なくとも一部が、デジタル処理構成要素によって、例えば、ＤＳＰ８０２によって、または他の中央処理ユニットによって提供され得る。
【００７６】
ＤＳＰ８０２は、変調／復調、符号化／復号化、インターリービング／デインターリービング、拡散／逆拡散、逆高速フーリエ変換（ＩＦＦＴ）／高速フーリエ変換（ＦＦＴ）、周期的接頭辞添付／除去、および無線通信に関連付けられた他の信号処理機能を行い得る。実施形態では、例えば、符号分割多重アクセス（ＣＤＭＡ）技術用途において、送信器機能のために、ＤＳＰ８０２は、変調、符号化、インターリービング、および拡散を行い、受信機機能のために、ＤＳＰ８０２は、逆拡散、デインターリービング、復号化、および復調を行い得る。別の実施形態では、例えば、直交周波数分割多重アクセス（ＯＦＤＭＡ）技術用途において、送信器機能のために、ＤＳＰ８０２は、変調、符号化、インターリービング、逆高速フーリエ変換、および周期的接頭辞添付を行い、受信機機能のために、ＤＳＰ８０２は、周期的接頭辞除去、高速フーリエ変換、デインターリービング、復号化、および復調を行い得る。他の無線技術用途では、さらに他の信号処理機能、および信号処理機能の組み合わせが、ＤＳＰ８０２によって行われ得る。
【００７７】
ＤＳＰ８０２は、アナログベースバンド処理ユニット８１０を介して、無線ネットワークと通信し得る。いくつかの実施形態では、通信は、インターネット接続を提供し、ユーザがインターネット上のコンテンツへのアクセスを獲得すること、および電子メールまたはテキストメッセージを送受信することを可能にし得る。入出力インターフェース８１８は、ＤＳＰ８０２ならびに種々のメモリおよびインターフェースを相互接続する。メモリ８０４および可撤性メモリカード８２０は、ＤＳＰ８０２の動作を構成するようにソフトウェアおよびデータを提供し得る。インターフェースの中でも特に、ＵＳＢインターフェース８２２および短距離無線通信サブシステム８２４があり得る。ＵＳＢインターフェース８２２は、ＭＳ１０を充電するために使用され得るか、また、ＭＳ１０が周辺デバイスとして機能し、パーソナルコンピュータまたは他のコンピュータシステムと情報を交換することを可能にし得る。短距離無線通信サブシステム８２４は、赤外線ポート、Ｂｌｕｅｔｏｏｔｈ（登録商標）インターフェース、ＩＥＥＥ  ８０２．１．１１準拠無線インターフェース、またはＭＳ１０が他の近くのモバイルデバイスおよび／または無線基地局と無線通信することを可能にし得る任意の他の短距離無線通信サブシステムを含み得る。
【００７８】
入出力インターフェース８１８はさらに、トリガされると、例えば、ベルを鳴らす、メロディを再生する、または振動することによって、ＭＳ１０にユーザへ通知を提供させる、アラート８２６にＤＳＰ８０２を接続し得る。アラート８２６は、無音で振動することによって、または特定の発呼者に対して特定の事前に割り当てられたメロディを再生することによって、着信電話、新しいテキストメッセージ、および予約のリマインダ等の種々のイベントのうちのいずれかをユーザに警告するための機構としての機能を果たし得る。
【００７９】
キーパッド８２８は、インターフェース８１８を介してＤＳＰ８０２に連結し、ユーザが、選択を行うため、情報を入力するため、および別様にＭＳ１０に入力を提供するための１つの機構を提供する。キーボード８２８は、ＱＷＥＲＴＹ、Ｄｖｏｒａｋ、ＡＺＥＲＴＹ、および逐次タイプ等の完全または縮小英数字キーボード、または電話キーパッドに関連付けられたアルファベット文字を伴う従来の数字キーパッドであり得る。入力キーは、さらなる入力機能を提供するように内向きに押下され得る、トラックホイール、終了またはエスケープキー、トラックボール、および他のナビゲーションまたは機能キーを含み得る。別の入力機構は、タッチスクリーン能力を含み、また、ユーザにテキストおよび／またはグラフィックを表示し得る、ＬＣＤ８３０であり得る。ＬＣＤコントローラ８３２は、ＤＳＰ８０２をＬＣＤ８３０に連結する。
【００８０】
ＣＣＤカメラ８３４は、装備された場合、ＭＳ１０がデジタル写真を撮ることを可能にする。ＤＳＰ８０２は、カメラコントローラ８３６を介して、ＣＣＤカメラ８３４と通信する。別の実施形態では、電荷結合素子カメラ以外の技術に従って動作するカメラが採用され得る。ＧＰＳセンサ８３８は、グローバルポジショニングシステム信号を復号するようにＤＳＰ８０２に連結され、それにより、ＭＳ１０がその位置を決定することを可能にする。種々の他の周辺機器もまた、付加的な機能、例えば、ラジオおよびテレビ受信を提供するように含まれ得る。
【００８１】
図９は、ＤＳＰ８０２によって実装され得る、ソフトウェア環境９０２を例証する。ＤＳＰ８０２は、ソフトウェアの残りが動作する、プラットフォームを提供する、オペレーティングシステムドライバ９０４を実行する。オペレーティングシステムドライバ９０４は、ＭＳハードウェアのためのドライバに、アプリケーションソフトウェアにアクセス可能である標準化インターフェースを提供する。オペレーティングシステムドライバ９０４は、ＭＳ１０上で作動するアプリケーション間で制御を転送する、アプリケーション管理サービス（「ＡＭＳ」）９０６を含む。図９には、ブラウザアプリケーション９０８、メディアプレーヤアプリケーション９１０、およびＪａｖａ（登録商標）アプレット９１２も示されている。ウェブブラウザアプリケーション９０８は、ウェブブラウザとして動作するようにＭＳ１０を構成し、ユーザが書式に情報を入力し、ウェブページを読み出して閲覧するようにリンクを選択することを可能にする。メディアプレーヤアプリケーション９１０は、音声または視聴覚媒体を読み出し、再生するようにＭＳ１０を構成する。Ｊａｖａ（登録商標）アプレット９１２は、ゲーム、ユーティリティ、および他の機能性を提供するようにＭＳ１０を構成する。構成要素９１４は、本明細書で説明される機能性を提供する場合がある。
【００８２】
ＭＳ１０、基地局１２０、および上記で説明される他の構成要素は、上記で説明される動作に関係する命令を実行することが可能な処理構成要素を含む場合がある。図１０は、本明細書で開示される１つ以上の実施形態に対して好適である処理構成要素１０１０を含む、システム１０００の実施例を図示する。プロセッサ１０１０（中央プロセッサユニット（ＣＰＵまたはＤＳＰ）と呼ばれてもよい）に加えて、システム１０００は、ネットワーク接続デバイス１０２０、ランダムアクセスメモリ（ＲＡＭ）１０３０、読み出し専用メモリ（ＲＯＭ）１０４０、二次記憶装置１０５０、および入出力（Ｉ／Ｏ）デバイス１０６０を含む場合がある。場合によっては、これらの構成要素のうちのいくつかは、存在しなくてもよく、あるいは相互と、または示されていない他の構成要素と、種々の組み合わせで組み合わせられ得る。これらの構成要素は、単一の物理的エンティティの中、または１つより多くの物理的エンティティの中に位置する場合がある。プロセッサ１０１０によって講じられるものとして本明細書で説明される措置は、プロセッサ１０１０単独によって、あるいは図面に示されている、または示されていない１つ以上の構成要素と併せてプロセッサ１０１０によって講じられ得る。
【００８３】
プロセッサ１０１０は、それがネットワーク接続デバイス１０２０、ＲＡＭ１０３０、ＲＯＭ１０４０、または二次記憶装置１０５０（ハードディスク、フロッピー（登録商標）ディスク、または光ディスク等の種々のディスクベースのシステムを含む場合がある）からアクセスする場合がある、命令、コード、コンピュータプログラム、またはスクリプトを実行する。１つだけのプロセッサ１０１０が示されているが、複数のプロセッサが存在し得る。したがって、命令は、プロセッサによって実行されるものとして論議され得るが、命令は、同時に、順次、あるいは別様に１つまたは複数のプロセッサによって実行され得る。プロセッサ１０１０は、１つ以上のＣＰＵチップとして実装され得る。
【００８４】
ネットワーク接続デバイス１０２０は、モデム、モデムバンク、Ｅｔｈｅｒｎｅｔ（登録商標）デバイス、ユニバーサルシリアルバス（ＵＳＢ）インターフェースデバイス、シリアルインターフェース、トークンリングデバイス、光ファイバ分散データインターフェース（ＦＤＤＩ）デバイス、無線ローカルエリアネットワーク（ＷＬＡＮ）デバイス、符号分割多重アクセス（ＣＤＭＡ）デバイス、グローバルシステムフォーモバイルコミュニケーションズ（ＧＳＭ（登録商標））無線送受信機デバイス等の無線送受信機デバイス、マイクロ波アクセス用の世界的相互運用性（ＷｉＭＡＸ）デバイス、および／またはネットワークに接続するための他の周知のデバイスの形態を成し得る。これらのネットワーク接続デバイス１０２０は、インターネット、あるいはプロセッサ１０１０が情報を受信する場合がある、またはプロセッサ１０１０が情報を出力する場合がある、１つ以上の電気無線通信ネットワークまたは他のネットワークと、プロセッサ１０１０が通信することを可能にし得る。
【００８５】
ネットワーク接続デバイス１０２０はまた、無線周波数信号またはマイクロ波周波数信号等の電磁波の形態で、データを無線で伝送および／または受信することが可能な１つ以上の送受信機構成要素１０２５も含む場合がある。代替として、データは、導電体の表面の内または上、同軸ケーブル内、導波管内、光ファイバ等の光媒体内、あるいは他の媒体内を伝播し得る。送受信機構成要素１０２５は、別個の受信および送信ユニット、または単一の送受信機を含む場合がある。送受信機１０２５によって伝送または受信される情報は、プロセッサ１０１０によって処理されているデータ、またはプロセッサ１０１０によって実行される命令を含み得る。そのような情報は、例えば、コンピュータデータベースバンド信号または搬送波で具現化される信号の形態で、ネットワークから受信され、ネットワークに出力され得る。データは、データを処理または生成するため、あるいはデータを伝送または受信するために望ましいように、異なるシーケンスに従って順序付けられ得る。ベースバンド信号、搬送波に組み込まれる信号、あるいは現在使用されている、または今後開発される他の種類の信号は、伝送媒体と呼ばれてもよく、当業者に周知のいくつかの方法に従って生成され得る。
【００８６】
ＲＡＭ１０３０は、揮発性データを記憶するため、およびおそらくプロセッサ１０１０によって実行される命令を記憶するために使用され得る。ＲＯＭ１０４０は、典型的には二次記憶装置１０５０のメモリ容量よりも小さいメモリ容量を有する、不揮発性メモリデバイスである。ＲＯＭ１０４０は、命令、およびおそらく命令の実行中に読み取られるデータを記憶するために使用され得る。ＲＡＭ１０３０およびＲＯＭ１０４０の両方へのアクセスは、定型的には、二次記憶装置１０５０より速い。二次記憶装置１０５０は、典型的には、１つ以上のディスクドライブまたはテープドライブから成り、ＲＡＭ１０３０が全ての作業用データを保持するのほど十分大きくない場合、データの不揮発性記憶に、またはオーバーフローデータ記憶デバイスとして使用され得る。二次記憶装置１０５０は、プログラムが実行のために選択される時に、ＲＡＭ１０３０へロードされる、そのようなプログラムを記憶するために使用され得る。
【００８７】
Ｉ／Ｏデバイス１０６０は、液晶ディスプレイ（ＬＣＤ）、タッチスクリーンディスプレイ、キーボード、キーパッド、スイッチ、ダイヤル、マウス、トラックボール、音声認識装置、カード読取装置、紙テープ読取装置、プリンタ、ビデオモニタ、または他の周知の入力デバイスを含み得る。また、送受信機１０２５は、ネットワーク接続デバイス１０２０の構成要素である代わりに、またはそれに加えて、Ｉ／Ｏデバイス１０６０の構成要素であると見なされ得る。Ｉ／Ｏデバイス１０６０のうちのいくつかまたは全ては、ディスプレイ７０２および入力７０４等のＭＳ１０の前述の図面に描写される種々の構成要素と実質的に同様であり得る。
【００８８】
いくつかの実施形態が本開示で提供されているが、開示されたシステムおよび方法が、本開示の範囲から逸脱することなく、多くの他の特定の形態で具現化され得ることを理解されたい。本実施例は、制限的ではなく例証的と見なされ、本明細書で提供される詳細に限定されることを意図しない。例えば、種々の要素または構成要素を、別のシステムに組み入れるか、または一体化してもよく、あるいは、ある特徴を省略してもよく、または実装しなくてもよい。
【００８９】
また、離散したものまたは別個のものとして種々の実施形態の中で説明および例証される技術、システム、サブシステム、および方法は、本開示の範囲から逸脱することなく、他のシステム、モジュール、技術、または方法と組み合わせられ、または一体化し得る。連結もしくは直接連結される、または相互に通信するものとして示され、説明される他のアイテムは、電気的、機械的、またはその他の方法であろうと、何らかのインターフェース、デバイス、または中間構成要素を通して、間接的に連結されるか、または通信し得る。変更、置換、および改変の他の実施例が、当業者によって解明可能であり、本明細書で開示される範囲から逸脱することなく行うことができる。
【図１】
2013520901.tif 000003
【図２】
2013520901.tif 000004
【図３】
2013520901.tif 000005
【図４】
2013520901.tif 000006
【図５】
2013520901.tif 000007
【図６】
2013520901.tif 000008
【図７】
2013520901.tif 000009
【図８】
2013520901.tif 000010
【図９】
2013520901.tif 000011
【図１０】
2013520901.tif 000012
【国際調査報告】
2013520901.tif 000013
2013520901.tif 000014